(57)【特許請求の範囲】
【請求項１】
ユーザーの聴力に従ってデジタル入力信号を調整するデジタル電話であって、
ユーザーの個別聴力スペクトルを表すユーザーパラメータを得る手段と、
ユーザーにより聞かれる情報を表すデジタル入力信号を受信する手段と、
聴力調整されたデジタル信号を生成するために前記ユーザーパラメータに従って前記デジタル入力信号を調整する手段と、
前記聴力調整されたデジタル信号に基づいて、アナログ出力信号を生成する手段とを含み、
前記ユーザーパラメータを得る手段は、
テストトーンを生成する手段と、
前記テストトーンに対するユーザー応答を受信する手段と、
各周波数帯域について、予め定めた初期のテストトーンに対しユーザーが聞きとれる応答をした場合には、最小聴力閾値に達するまで振幅を連続的に低くしながらテストトーンを繰り返し生成し、前記初期のテストトーンに対しユーザーが聞きとれない応答をした場合には、最大聴力閾値に達するまで振幅を連続的に高くしながら前記テストトーンを繰り返し生成するようにし、前記テストトーンに対するユーザー応答に従って、各周波数帯域における聴力閾値を決定する手段と、
前記決定された聴力閾値に基づいて前記ユーザーパラメータを設定する手段とを含むことを特徴とするデジタル電話。
【請求項２】
前記ユーザーパラメータは、オーディオスペクトルを複数の帯域に分割し、且つ、各帯域におけるユーザーの聴力を示すものであることを特徴とする請求項１に記載のデジタル電話。
【請求項３】
前記デジタル入力信号を調整する手段は、前記ユーザーパラメータがユーザーの聴力に障害があることを示す周波数帯域において、前記デジタル入力信号を増幅する手段を含むことを特徴とする請求項２に記載のデジタル電話。
【請求項４】
前記デジタル入力信号を調整する手段は、前記デジタル入力信号のピッチラグパラメータを、前記ユーザーパラメータがユーザーの聴力障害を示す周波数帯域から、前記ユーザーパラメータがユーザーの聴力の障害がより軽いことを示す周波数帯域へと、デジタル形式でシフトする手段を含むことを特徴とする請求項２に記載のデジタル電話。
【請求項５】
前記デジタル入力信号を調整する手段は、前記デジタル入力信号を処理するボコーダを含み、前記デジタル入力信号をシフトする手段は、前記ボコーダの声道フィルタ関数の極およびゼロをシフトすることを特徴とする請求項４に記載のデジタル電話。
【請求項６】
ユーザーの聴力に従ってデジタル入力信号を調整するデジタル電話であって、
ユーザーの個別聴力スペクトルを表すユーザーパラメータを得る手段と、
デジタル入力信号を受信する手段と、
ボコーダを用いて、前記受信されたデジタル入力信号をデコードするとともに、前記ボコーダを用いて、前記ボコーダの前記声道フィルタ関数の極およびゼロをシフトすることに加え、前記ボコーダを用いて、前記デコードされたデジタル入力信号のピッチラグパラメータを、前記ユーザーパラメータがユーザーが聞くことができないことを示す周波数帯域から、前記ユーザーパラメータがユーザーが聞くことができることを示す周波数帯域へとシフトし、シフトされたデジタル信号を形成する手段と、
前記デジタル信号に基づいて、アナログ出力信号を生成する手段とを含み、
前記ユーザーパラメータを得る手段は、
テストトーンを生成する手段と、
前記テストトーンに対するユーザー応答を受信する手段と、
各周波数帯域について、予め定めた初期のテストトーンに対しユーザーが聞きとれる応答をした場合には、最小聴力閾値に達するまで振幅を連続的に低くしながらテストトーンを繰り返し生成し、前記初期のテストトーンに対しユーザーが聞きとれない応答をした場合には、最大聴力閾値に達するまで振幅を連続的に高くしながら前記テストトーンを繰り返し生成するようにし、前記テストトーンに対するユーザー応答に従って、各周波数帯域における聴力閾値を決定する手段と、
前記決定された聴力閾値に基づいて前記ユーザーパラメータを設定する手段とを含むことを特徴とするデジタル電話。
【請求項７】
前記シフトされたデジタル信号に高速フーリエ変換を適用して、前記シフトされたデジタル信号を時間ドメインから周波数ドメインに変換する手段と、
前記ユーザーパラメータがユーザーの聴力に障害があることを示す周波数帯域において、前記変換されたデジタル信号を増幅する手段と、
前記増幅されたデジタル信号に逆高速フーリエ変換を適用して、前記増幅されたデジタル信号を前記周波数ドメインから前記時間ドメインに変換する手段と、をさらに含むことを特徴とする請求項６に記載のデジタル電話。
【請求項８】
ユーザーの聴力に従ってデジタル入力信号を調整するデジタル電話であって、
ユーザーの個別聴力スペクトルを表すユーザーパラメータを得る手段と、
デジタル入力信号を受信する手段と、
ボコーダを用いて、前記受信されたデジタル入力信号をデコードする手段と、
前記デジタル信号に高速フーリエ変換を適用して、前記デジタル信号を時間ドメインから周波数ドメインに変換する手段と、
前記ユーザーパラメータがユーザーの聴力に障害があることを示す周波数帯域において、前記変換されたデジタル信号を増幅する手段と、
前記増幅されたデジタル信号に逆高速フーリエ変換を適用して、前記増幅されたデジタル信号を前記周波数ドメインから前記時間ドメインに変換する手段と、
前記デジタル信号に基づいて、アナログ出力信号を生成する手段とを含み、
前記ユーザーパラメータを得る手段は、
テストトーンを生成する手段と、
前記テストトーンに対するユーザー応答を受信する手段と、
各周波数帯域について、予め定めた初期のテストトーンに対しユーザーが聞きとれる応答をした場合には、最小聴力閾値に達するまで振幅を連続的に低くしながらテストトーンを繰り返し生成し、前記初期のテストトーンに対しユーザーが聞きとれない応答をした場合には、最大聴力閾値に達するまで振幅を連続的に高くしながら前記テストトーンを繰り返し生成するようにし、前記テストトーンに対するユーザー応答に従って、各周波数帯域における聴力閾値を決定する手段と、
前記決定された聴力閾値に基づいて前記ユーザーパラメータを設定する手段とを含むことを特徴とするデジタル電話。
【請求項９】
前記ボコーダを用いて、前記ボコーダのフィルタ関数の極およびゼロをシフトすることにより、前記デジタル信号を、前記ユーザーパラメータがユーザーが聞くことができないことを示す周波数帯域から、前記ユーザーパラメータがユーザーが聞くことができることを示す周波数帯域へとシフトする手段をさらに含むことを特徴とする請求項８に記載のデジタル電話。
【発明の詳細な説明】
【０００１】
【発明の属する技術分野】
本発明は、デジタル電話に関し、詳しくは、ユーザーの個別聴力スペクトルを補償するべくカスタマイズされるオーディオ出力を有するデジタル電話に関する。
【０００２】
【発明の背景】
従来のセルラーホンのオーディオ出力は、聴力に障害のある聞き手には聞きとりにくい可能性がある。聞き手の聴力に障害がある場合、セルラーホンの出力音量を上げたとしても、部分的な効果しか得られないのが現状である。典型的な聴力障害は、選択周波数帯域で生じる。聴力障害は、いかなる帯域でも、完全か部分的かのいずれかである。出力音量の均一な増加は、部分的に障害のある帯域に対処するだけなので、均一に増加しても、部分的にしか聞き手の助けにならない。完全に障害のある特定の帯域では、依然としてユーザーには聞こえない。他の帯域を聞きたいがために、障害のない帯域の出力音が大きくなり、不快感をおぼえる聞き手もいるだろう。
【０００３】
従来の補聴器は、ユーザーの個々の聴力障害を補償するため、選択的に音を増幅しているものが一般的である。
【０００４】
ボイスコーダ−デコーダ（「ボコーダ」）は、人間の声を表すために必要な量のデジタル情報を圧縮するため、セルラーホンで用いられてきた。送信機におけるボコーダは、デジタルフィルタの形で声道(vocal tract)モデルを導出し、１つ以上の「コードブック」を用いてデジタル音信号をエンコードする。各コードブックは、音声の領域において導出された声道フィルタの励起を表す。１つの典型的なコードブックは、ピッチや有声音などの長周期励起(excitation)を表す。別の典型的なコードブックは、ノイズや無声音などの短周期励起を表す。ボコーダは、声道フィルタのパラメータおよびコードブックの励起を含むデジタル信号を生成する。この信号は、コードブックの再構成を可能とする情報も含む。このようにしてエンコードされた信号は効果的に圧縮され、従って、すべての音を直接デジタル形式で表す場合より、使用領域が小さくてすむ。
【０００５】
受信ボコーダは、コードブックおよび声道フィルタを用いて、圧縮デジタル信号をデコードする。信号に含まれるパラメータに基づいて、ボコーダは、圧縮されていないデジタル音に再構成する。このデジタル信号は、アナログ信号に変換され、スピーカから出力される。
【０００６】
【発明の概要】
本開示は、デジタル電話を通した聞き手の聴力障害に応じてカスタマイズされたオーディオ出力を生成する技術を実施する方法および装置を記載する。ユーザーは最初に、ユーザーの聴力スペクトルを表すために、ユーザーパラメータを設定する。呼び出しを受ける際、デジタル電話は、入力信号を受信する。デジタル電話は、ユーザーパラメータに応じて入力信号を調整し、調整された入力信号に基づいて出力信号を生成する。
【０００７】
好適な実施形態では、デジタル電話は、ユーザーパラメータ制御手段を含む。ユーザーパラメータ制御手段は、ユーザーの聴力を表すユーザーパラメータを格納するためのメモリを含む。デジタル電話は、受信手段を介して信号を受信する。デジタル信号プロセッサは、ユーザーパラメータ制御手段および受信手段に接続される。デジタル信号プロセッサは、受信手段に接続されるボコーダと、周波数変換手段とを含む。デジタル信号プロセッサは、信号を、ユーザーパラメータがユーザーの聴力に障害があることを示す周波数帯域から、ユーザーパラメータがユーザーの聴力に障害がないことを示す周波数帯域へとシフトする。デジタル信号プロセッサはまた、ユーザーパラメータがユーザーの聴力に障害があることを示す周波数帯域において、シフトされた信号を増幅する。デジタル信号プロセッサに接続された出力手段は、この増幅された信号を出力する。
【０００８】
【発明の実施の形態】
本開示は、ユーザーにより設定されたパラメータに応じてカスタマイズされた、デジタル電話からのオーディオ出力を供給する方法および装置を記載する。以下に、セルラー電話に関する好適な実施形態を説明する。しかしこの技術は、他の形態のデジタル電話システムのオーディオ出力にも適用可能である。
【０００９】
図１は、セルラーホン１００を示す。セルラーホン１００は、ＩＳ−９５セルラーシステムが好ましい。ケース１０２は、セルラーホン１００の本体を構成し、以下に説明される構成要素を含む。アンテナ／レシーバ１０５は、入力アナログ信号を受信する。アンテナ／レシーバ１０５は、従来のタイプのものが好ましい。復調器１１０は、入力アナログ信号をデジタル信号に変換する。デジタル信号は、好ましくは、別の電話から中央局を介して送られる圧縮デジタル信号である。復調器１１０の出力は、デジタル信号として、デジタル信号プロセッサ（「ＤＳＰ」）１１５に供給される。ＤＳＰ１１５は、デジタル信号を、当該技術分野において公知の方法で処理する。ユーザーパラメータ制御回路１２０により供給されたユーザーパラメータに応じ、さらなる処理が行われる。ユーザーパラメータ制御回路１２０は、ユーザーパラメータを格納するためのメモリ１２２を含む。１つの実現例として、メモリ１２２は、２人以上のユーザーについてのユーザーパラメータの組を格納する。このユーザーパラメータの組に、予め規定された組を含めることもできる。現在のユーザーは、ユーザー制御装置１２５などを介して、ユーザーパラメータの適切な組を選択する。以下に説明されるように、ＤＳＰ１１５は、選択されたユーザーパラメータの組を用いて処理を行う。
【００１０】
セルラーホン１００の外部にある制御装置として、ユーザー制御装置１２５は、ユーザー入力を、ユーザーパラメータ制御回路１２０に送る。デジタル−アナログコンバータ（「ＤＡＣ」）１３０は、調整されたデジタル信号を、出力アナログ信号に変換する。スピーカ１３５は、ユーザーがユーザーパラメータに従ってアナログ信号を聞けるよう、アナログ信号を再生する。セルラーホン１００はまた、ユーザーから、音声などのオーディオ入力を受信するためのオーディオ入力またはマイクロホン（図示せず）を含むことが好ましい。
【００１１】
図２は、ＤＳＰ１１５の詳細を示す。ＤＳＰ１１５は、ボコーダ２０５および周波数変換回路(frequency transformation)２１０を含む。ボコーダ２０５は、復調器１１０からデジタル信号を受信し、声道フィルタ２１５を用いて、この信号を解凍(uncompress)する。ボコーダ２０５は、好ましくは、声道フィルタ２１５を含み、従来のボコーダと同様に、２つのコードブック、すなわち、長周期コードブック(long-term codebook)２２０および短周期コードブック(short-term codebook)２２５を含む。ボコーダ２０５は、長周期コードブック２２０を用いて、デジタル信号においてエンコードされた、ピッチおよび有声音などの長い励起をデコードする。ボコーダ２０５は、短周期コードブック２２５を用いて、デジタル信号においてエンコードされた、ノイズおよび無声音などの短い励起をデコードする。コードブックの励起は、デコードされたパラメータにより規定される声道フィルタ２１５によりフィルタリングされ、デコードされた音を再生する。１つの実現例としては、デジタル信号には、デジタル信号源のコードブックの再構成が可能な情報も含まれる。ボコーダ２０５は、デコード処理を容易にするため、再構成されたコードブックを用いる。ボコーダ２０５には、エンコードされたデジタル信号を、デコードされ且つ解凍されたデジタル信号に変換するための１つ以上のフィルタも含まれる。
【００１２】
ボコーダ２０５は、内部パラメータ変更素子(internal parameter modifier)２３０を含むことが好ましい。ボコーダ２０５は、ユーザーパラメータ制御回路１２０から受け取ったユーザーパラメータに従って、内部パラメータ変更素子２３０を構成する。内部パラメータ変更素子２３０は、信号の部分の周波数を、ユーザーの聴力に障害がある周波数帯域から、ユーザーが聞くことができる、またはよりよく聞くことができる帯域へとシフトする効果を有する。ボコーダ２０５は、好ましくはピッチラグパラメータを変更することにより、および／または、ユーザーパラメータに従ってフィルタの極およびゼロを調整することにより、パラメータ変更素子２３０を構成する。シフト技術の詳細を、以下に説明する。
【００１３】
周波数変換回路２１０は、ボコーダ２０５により生成されたデジタル信号を、異なる周波数帯に応じて調整する。高速フーリエ変換（「ＦＦＴ」）回路２３５は、ＦＦＴをデジタル信号に適用して、この信号を時間ドメインから周波数ドメインに変換し、変換された信号を、多数の周波数帯域に分割する。帯域数は、信号に対する細かな調整に影響を及ぼすため、この適用により、細かさと、性能と、コストとのバランスが確立される。帯域増幅回路２４０は、周波数分割信号を選択的に増幅する。
【００１４】
帯域増幅回路２４０は、好ましくは、ユーザーの音認識が減衰される周波数帯域において信号を増幅する。帯域増幅回路２４０は、音をその周波数帯域に関するユーザーの聴力範囲内に入れる分だけ各帯域を増幅する。帯域テーブル２４５は、ユーザーパラメータ制御回路１２０からユーザーパラメータを受け取り、帯域増幅回路２４０に帯域パラメータを供給する。帯域パラメータは、どの帯域が増幅されるかについて示すとともに、適切な増幅量を示す。以下に説明されるように、ユーザーパラメータは、オーディオテストにより設定される。逆ＦＦＴ（「ＩＦＦＴ」）回路２５０は、増幅された信号を、周波数ドメインから時間ドメインに変換し、分割された信号をコンパイルして、統合されたデジタル信号に戻す。ＤＡＣ１３０は、デジタル信号を、セルラーホン１００によりスピーカ１３５を通して出力されるアナログ信号に変換する。
【００１５】
図３に示されるように、フローチャート３００は、好適な実施形態のソフトウェアまたはハードウェアを示す。ステップ３０５で、アンテナ／レシーバ１０５は、アナログ信号を受信し、復調器１１０は、アナログ信号をデジタル信号に変換する。ＤＳＰ１１５は、ボコーダ２０５および周波数変換回路２１０を用いて、ユーザーパラメータに従ってデジタルを調整する。以下に説明されるように、ユーザーパラメータは、オーディオテストによりあらかじめ設定される。ステップ３１０で、ボコーダ２０５は、信号のより多くの部分がユーザーの可聴周波数帯域となるように、デコードされた信号の部分をシフトするため、信号のパラメータを変更し、デジタル信号をデコードする。ステップ３２０で、周波数変換回路２１０は、ＦＦＴを適用することにより、信号を周波数ドメインに変換する。ステップ３２５で、周波数変換回路２１０は、変換された信号のうち、ユーザーの聴力が減衰される周波数帯域に対応する部分を増幅する。ステップ３３０で、周波数変換回路２１０は、逆ＦＦＴを適用することにより、信号を時間ドメインに戻す。ステップ３３５で、ＤＡＣ１３０は、調整されたデジタル信号をアナログ信号に変換し、結果として得られたアナログ信号は、ステップ３４０で、スピーカ１３５を通して再生される。
【００１６】
長周期コードブックを変更する１つの実施形態として、長周期コードブックの再構成された形態を決定するピッチラグパラメータは、潜在的なオーディオ信号の部分が、ユーザーが聞くことができない周波数帯域または領域から、ユーザーが聞くことができる領域にマッピングされるように調整される。あるいは、ユーザーの聴力が許容不可能なほど高い増幅レベルを必要とする領域も、必要な増幅レベルがより許容可能である領域へとマッピングされる。この場合、許容不可能な増幅の閾値レベルは、セルラーホンの最大振幅信号に基づく。マッピングは、好ましくは、聞き手が非常に大きいまたは補正不可能な聴力損失を有する周波数を回避するとともに周波数範囲の不必要なジャンプを防ぎながら、声の抑揚を可能にするために、ピッチの変動を保持する。この技術は、ｆ（ｉ−１）からｆ（ｉ）にわたる周波数帯域ｉにおいて必要とされる最小エネルギーγ（ｉ）の測定値を、許容可能な最大のエネルギー閾値Ｅｍａｘ（ｉ）と比較することを含む。γ（ｉ）がＥｍａｘ（ｉ）を越えると、領域は許容不可能となり、ｆ（ｉ−１）からｆ（ｉ）までの周波数は、閾値を越えない許容可能な最も近い周波数範囲にマッピングされる。
【００１７】
ボコーダにより支持されるピッチラグの範囲が、対象の周波数範囲を決定する。ピッチラグの典型的な値は、ｄｍｉｎ＝１６サンプルおよびｄｍａｘ＝１５０サンプルであり、これらの値は、８ｋＨｚでサンプリングされる信号の場合、それぞれ５００Ｈｚおよび５３．３Ｈｚの周波数に対応する。周波数範囲全体は、領域１から領域ｍと呼ばれるｍ個の領域（必ずしも同じ大きさではない）に分割される。上記のように、隣接する領域はいずれも、許容可能性に関して同じ特性を有していない。なぜなら、範囲の境界を規定する周波数は、隣接する領域を含むように増加または低減することができるからである。
【００１８】
許容不可能な領域のマッピングは、５つの場合に分けることができる。第１の場合、ボコーダピッチ範囲全体をカバーする領域は１つのみである。この場合、行われるべきマッピングはない。
【００１９】
第２の場合、領域は２つしかない（ｍ＝２）。一方の領域は許容不可能であり、例えば、ユーザーは、その周波数帯域では聞くことができない。他方の領域は許容可能であり、例えば、ユーザーは、その周波数帯域で聞くことができる。この場合、どちらの領域が許容可能であるかに依存して、ｆ（０）からｆ（２）までの周波数範囲全体が、ｆ（０）からｆ（１）まで、または、ｆ（１）からｆ（２）までの領域に圧縮される。マッピングは、好ましくは、線形圧縮により行われる。圧縮周波数ｆｎｅｗの解は、以下の数式のように、もとの周波数ｆｏｌｄについて求められる。
【００２０】
【数１】
0003777904.tif 000002
【００２１】
この場合、領域１が、許容不可能な領域であり、
【００２２】
【数２】
0003777904.tif 000003
【００２３】
この場合、領域２が、許容不可能な領域である。
【００２４】
第３の場合、許容不可能な領域は、領域１または領域ｍのいずれかであり、隣接する許容可能な領域は、他方側に別の許容不可能な領域を有する。許容不可能な領域全体と、許容可能な領域の半分とが、許容不可能な領域に隣接する許容可能な領域の半分に圧縮される。上記のように、ｆｎｅｗは、以下の数式のように表すことができる。
【００２５】
【数３】
0003777904.tif 000004
【００２６】
この場合、領域１が、許容不可能な領域であり、
【００２７】
【数４】
0003777904.tif 000005
【００２８】
この場合、領域ｍが、許容不可能な領域である。周波数ｆｍｉｄは、許容可能な領域の中間点である。例えば、領域ｉの場合、ｆｍｉｄ（ｉ）＝［ｆ（ｉ−１）＋ｆ（ｉ）］／２である。以下の説明のように、許容可能な領域の他方側の一方の許容不可能な領域が、許容可能な領域の使用されていない半分にマッピングされるため、許容可能な領域の半分が使用される。
【００２９】
第４の場合、許容不可能な領域は、領域２または領域「ｍ−１」である。許容不可能な領域の半分は、隣接する許容可能な領域１または領域ｍにマッピングされる。従って、許容可能な領域１またはｍに最も近い許容可能な領域の半分と、許容可能な領域１またはｍの全体とが、許容可能な領域１またはｍの全体にマッピングされる。以下の説明のように、許容不可能な領域の一方の半分は、許容不可能な領域のもう一方側にある許容可能な領域にマッピングされる。上記のように、ｆｎｅｗは、以下の数式のように表すことができる。
【００３０】
【数５】
0003777904.tif 000006
【００３１】
この場合、領域２が、許容不可能な領域である。または、
【００３２】
【数６】
0003777904.tif 000007
【００３３】
この場合、領域ｍ−１が、許容不可能な領域である。
【００３４】
第５の場合、許容不可能な領域ｉは、領域１または領域ｍではない許容可能な領域にマッピングされる。許容不可能な領域の半分は、許容不可能な領域に隣接する隣接の許容不可能な領域の半分にマッピングされる。例えば、領域ｉの上半分は、領域ｉ＋１の下半分とともに、領域ｉ＋１の下半分にマッピングされる。上記のように、ｆｎｅｗは、以下の２つの数式のように表すことができる。
【００３５】
【数７】
0003777904.tif 000008
【００３６】
この場合、許容不可能な領域ｉは、許容可能な領域ｉ−１にマッピングされる。または、
【００３７】
【数８】
0003777904.tif 000009
【００３８】
この場合、許容不可能な領域ｉは、許容可能な領域ｉ＋１にマッピングされる。
【００３９】
ユーザーは、セルラーホンにより生成される一連のトーンに応答することにより、オーディオテストにおいてユーザーパラメータを設定する。図４に示されるように、ユーザーパラメータを設定する処理４００では、ステップ４０５で、セルラーホン１００は、スピーカ１３５を通して再生される初期テストトーンを生成する。この初期テストトーンは、第１の振幅および周波数であり、好ましくは、平均の聴力を有する人が聞くことのできる振幅、および、ＤＳＰ１１５で使用される周波数帯域のうち最も低い周波数帯域に対応する周波数である。ステップ４１０で、ユーザーは、ユーザー制御装置１２５のボタンを押すことなどにより、ユーザーが初期テストトーンを聞きとれるか否かを示す。ユーザーが初期テストトーンを聞きとれる場合、ステップ４１５で、セルラーホン１００は、同じ周波数でより低い振幅の別のテストトーンを生成する。ユーザーがテストトーンの聞きとりができることを示さなくなるまで、または、特定の最小閾値に達するまで、セルラーホン１００は、ステップ４２０で、振幅を連続的に低くしながらテストトーンを生成し続ける。この最終テストトーンは、現在の周波数に関するユーザーの聴力閾値を示す。
【００４０】
ステップ４１０で、ユーザーが何も反応しないことで、初期テストトーンの聞き取りが可能なことを示さなければ、ステップ４１５で、セルラーホン１００は、同じ周波数でより高い振幅のテストトーンを生成する。ステップ４２０で、セルラーホン１００は、ユーザーがテストトーンの聞きとりが可能なことを示すまで、または、特定の最大閾値に達するまで、振幅を連続的に高くしながらテストトーンを生成し続ける。この最終テストトーンは、現在の周波数に関するユーザーの聴力閾値を示す。
【００４１】
ステップ４２５で、ユーザーパラメータ制御回路１２０は、現在の周波数についてのユーザーの聴力閾値の振幅および周波数を、メモリ１２２に記録する。ステップ４３０で、セルラーホン１００は、各周波数帯域について、ステップ４０５〜４２５を繰り返す。ユーザーパラメータ制御回路１２０が、各周波数についての聴力閾値を記録した後、ユーザーパラメータ制御回路には、ユーザーの聴力をモデル化するユーザーパラメータテーブルが生成される。上記のように、使用された周波数帯域数は、ボコーダ２０５および周波数変換回路２１０の動作において上述の周波数帯域または領域の数に対応する。
【００４２】
他の実施形態として、上記のデジタル信号プロセッサは、従来の電話網のデジタル電話に含まれる。デジタル電話で受信されたアナログ信号は、デジタル信号に変換され、上記のように調整される。あるいは、デジタル電話は、コンピュータシステムにおける、ソフトウェアとハードウェアとを組み合わせたものであってもよい。
【００４３】
さらに他の実施形態では、上記セルラーホンの構成要素は、補聴器と連動している。この場合、セルラーホンは、調整された信号を補聴器に送り、補聴器は、それ自体のスピーカを通してオーディオ信号を再生する。
【００４４】
上記デジタル信号プロセッサの構成要素は、ハードウェアまたはプログラマブルハードウェアにおいて実現することができる。あるいは、ＤＳＰ１１５に、ポートまたはカード接続を介してアクセス可能なソフトウェアを用いる処理ユニットを含めてもよい。
【００４５】
以上、種々の実施形態を説明してきたが、さらなる変形も可能である。例えば、電話により受信される信号は、デジタル網により供給されるデジタル信号であってもよい。ユーザーパラメータは、ユーザーによる手動入力によってではなく、電話に値をダウンロードすることでも得られる。
【図面の簡単な説明】
【図１】本発明の一実施形態にかかるデジタル電話のブロック図である。
【図２】デジタル信号プロセッサのブロック図である。
【図３】信号を調整する際のフローチャートである。
【図４】ユーザーパラメータを設定する際のフローチャートである。
【符号の説明】
１００…セルラーホン、１０２…ケース、１０５…アンテナ／レシーバ、
１１０…復調器、１１５…ＤＳＰ、１２０…ユーザーパラメータ制御回路、
１２２…メモリ、１２５…ユーザー制御装置、１３０…ＤＡＣ、
１３５…スピーカ、２０５…ボコーダ、２１０…周波数変換回路、
２１５…声道フィルタ、２２０…長周期コードブック、
２２５…短周期コードブック、２３０…内部パラメータ変更素子、
２３５…ＦＦＴ、２４０…帯域増幅回路、２４５…帯域テーブル、
２５０…逆ＦＦＴ。
【図１】
0003777904.tif 000010
【図２】
0003777904.tif 000011
【図３】
0003777904.tif 000012
【図４】
0003777904.tif 000013